(57)【要約】【課題】プラズマディスプレイパネルをエージング治具にセットした時、ガラス端面が押さえ支持台に押し付けられ、接触面に貼ってある、受けテープ破れて、金属との擦れで金属片付着によるショート不良が発生する、この対策として受けテープを頻繁に交換する必要が有った。【解決手段】プラズマディスプレイパネル１に電圧を印加する為に、パネル端子に押し当てる電極２と、その反対側にあるパネル押さえ３と、前述の電極を固定する支持台５と、パネル押さえ３を可動可能なように支持する押さえ支持台４、から成るエージング治具おいて、プラズマディスプレイパネル１の側面が押し当たる部分に上下に稼動するパネル受け治具６を設ける。プラズマディスプレイパネル１がエージング治具にセットされると、プラズマディスプレイパネル１の側面は、パネル受け治具６に押し当てられる。【選択図】      図１
2004152533.tif 000002
【特許請求の範囲】
【請求項１】
プラズマディスプレイパネルの支持台の金属面とガラスとの間に緩衝材を用いたパネル受け治具を挿入し、この緩衝材が可動可能なことを特徴とするプラズマディスプレイパネル用枯化トレー。
【請求項２】
前記緩衝材は樹脂系の材料で形成されていることを特徴とする請求項１記載のプラズマディスプレイパネル用枯化トレー。
【請求項３】
プラズマディスプレイパネルに電圧を印加する為にパネル端子に押し当てる電極と、その反対側にあるパネル押さえと、前記電極を固定する支持台と、前記パネル押さえを可動可能なように支持する押さえ支持台と、から成り、プラズマディスプレイパネルの側面が押し当たる部分に上下するパネル受け治具を設けることを特徴とする請求項１または２記載のプラズマディスプレイパネル用枯化トレー。
【請求項４】
前記支持台にガイドレール取り付け、前記パネル受け治具がすべることを特徴とする請求項１乃至３記載のプラズマディスプレイパネル用枯化トレー。
【請求項５】
プラズマディスプレイパネルの側面が前記パネル受け治具に乗る構造とし、前記パネル押さえで押し下げられた時、その時の圧で、前記パネル受け治具が押さえ支持台に長穴で移動出来るような構造で有り、パネルが取り外された時、弾性材料で前記パネル受け治具が元の位置に戻ることを特徴とする請求項１乃至４記載のプラズマディスプレイパネル用枯化トレー。
【請求項６】
前記弾性材料が金属バネであることを特徴とする請求項５記載のプラズマディスプレイパネル用枯化トレー。
【発明の詳細な説明】
【０００１】
【発明の属する技術分野】
本発明はプラズマディスプレイパネル用枯化トレーに関し、特に緩衝材を用いたプラズマディスプレイパネル用枯化トレーに関する。
【０００２】
【従来の技術】
従来、この種の枯化トレーは、例えば図４に示すように、プラズマディスプレイパネル１に電圧を印加する為に、パネル端子に押し当てる電極２と、その反対側にあるパネル押さえ３からなるエージング治具に、プラズマディスプレイパネル１の側面が押し当たる部分に受けテープ８を貼って接触させ、金属部分との擦れを防いでいた。このような枯化トレーの先行技術として特開２００２−５６７７８がある。
【０００３】
【特許文献１】
特開２００２−５６７７８号公報（第３−９頁、図２）
【０００４】
【発明が解決しようとする課題】
上述した従来の枯化トレーにおいては、プラズマディスプレイパネル１のガラス端面が十分に研磨されていなくてバリが発生していると、プラズマディスプレイパネル１をエージング治具にセットした時、ガラス端面が押さえ支持台４に押し付けられ、接触面に貼ってある、受けテープ６を擦り、テープが破れてきて、金属との擦れで金属片付着によるショート不良が発生するようになり、この対策として受けテープ６を頻繁に交換する必要が有った。
【０００５】
【課題を解決するための手段】
本発明のプラズマディスプレイパネル用枯化トレーは、プラズマディスプレイパネルの支持台の金属面とガラスとの間に緩衝材を挿入し、この緩衝材が可動可能なことを特徴とする。
また、前記緩衝材は樹脂系の材料で形成されていることを特徴とする。
また、プラズマディスプレイパネルに電圧を印加する為にパネル端子に押し当てる電極と、その反対側にあるパネル押さえと、前記電極を固定する支持台と、パネル押さえを可動可能なように支持する押さえ支持台と、から成るエージング治具おいて、プラズマディスプレイパネルの側面が押し当たる部分に上下するパネル受け治具を設けることを特徴とする。
また、この支持台にガイドレール取り付け、パネル受け治具がすべることを特徴とする。
また、プラズマディスプレイの側面がパネル受けに乗る構造とし、パネル押さえで押し下げられた時、その時の圧で、パネル受け治具が押さえ支持台に長穴で移動出来るような構造で有り、パネルが取り外された時、弾性材料で元の位置に戻ることを特徴とする。
【０００６】
【発明の実施の形態】
次に、本発明について図面を参照して説明する。図１、図２は本発明の第１の実施形態の構成を示す概略図である。図１、図２に示されるように、本実施形態は、プラズマディスプレイパネル１に電圧を印加する為に、パネル端子に押し当てる電極２と、その反対側にあるパネル押さえ３と、前述の電極を固定する電極支持台５と、パネル押さえ３を可動可能なように支持する押さえ支持台４、から成るエージング治具おいて、プラズマディスプレイパネル１の側面が押し当たる部分に上下するパネル受け治具６を設ける。プラズマディスプレイパネル１がエージング治具にセットされると、プラズマディスプレイパネル１の側面は、パネル受け治具６に押し当てられる。次に、電極２を押し当てる際、押さえ支持台４が押し下げられ、この支持台に取り付けられているガイドレール７を、パネル受け治具６がすべり、プラズマディスプレイパネル１の側面が直接、押さえ支持台４の金属部分を擦ることを防ぐ。
図１において、プラズマディスプレイパネル１を枯化トレーにセットし、電極を押し付ける際、ガラス端面と電極支持部分とに生ずる擦れを防ぐ為に、プラズマディスプレイパネル受け治具６を付加した事を特徴とする。
【０００７】
第２の実施形態として図３に示すように、ガラス端面がパネル受けに乗る構造とし、パネル押さえ３で押し下げられた時、その時の圧で、パネル受け治具６が押さえ支持台４に長穴で移動出来るような構造で有り、パネルが取り外された時、ばね９で元の位置に戻る。
【０００８】
【発明の効果】
以上説明したように、本発明は、プラズマディスプレイパネルのガラス端面を樹脂形系の支持台に押し付け、スライドさせる為、電極などが取り付けられている支持部の、側面との摩擦から出る金属片の発生を防ぐことが出来るという効果がある。
【図面の簡単な説明】
【図１】本発明の第１の実施形態の構成を示す概略図である。
【図２】本発明の第１の実施形態の構成を示す概略図である。
【図３】本発明の第２の実施形態の構成を示す概略図である。
【図４】従来例を示す概略図である。
【符号の説明】
１    プラズマディスプレイパネル
２    電極
３    パネル押さえ
４    押さえ支持台
５    電極支持台
６    プラズマディスプレイパネル受け治具
７    ガイドレール
８    受けテープ
９    ばね
【図１】
2004152533.tif 000003
【図２】
2004152533.tif 000004
【図３】
2004152533.tif 000005
【図４】
2004152533.tif 000006